(57)【要約】【課題】部品員数の低減を図るとともに、必要な堅牢性を容易に確保することのできる制御盤揚重装置を備えた乗客コンベアの提供。【解決手段】本体枠に形成される機械室５に設置された制御盤９を保守作業時に上げ下げする制御盤揚重装置２０を備えた乗客コンベアにおいて、制御盤９に沿って機械室５に立設され、制御盤９を上下方向に案内するガイドレール２０ａと、制御盤９を持ち上げる方向にばね力を付与するばね体２０ｂとを備える。【選択図】  図３
2016016918.tif 000002
【特許請求の範囲】
【請求項１】
本体枠に形成される機械室に設置された制御盤を保守作業時に上げ下げする制御盤揚重装置を備えた乗客コンベアにおいて、
前記制御盤に沿って前記機械室に立設され、前記制御盤を上下方向に案内するガイドレールと、前記制御盤を持ち上げる方向にばね力を付与するばね体とを有することを特徴とする制御盤揚重装置を備えた乗客コンベア。
【請求項２】
前記制御盤に取付けられるとともに、前記ガイドレールに移動可能に係合するガイド部材を有することを特徴とする請求項１に記載の制御盤揚重装置を備えた乗客コンベア。
【請求項３】
前記ばね体は、前記制御盤の自重と同等のばね力を有することを特徴とする請求項１または２に記載の制御盤揚重装置を備えた乗客コンベア。
【発明の詳細な説明】
【技術分野】
【０００１】
本発明は、制御盤揚重装置を備えた乗客コンベアに関する。
【背景技術】
【０００２】
乗客コンベアにあっては、省スペース化を図るため、機械室を小さくする傾向があり、これに伴い制御盤等の機器が設置された機械室内に作業スペースを十分に得ることが難しく、機械室内の保守作業を行う場合、制御盤を機械室の外部に運び出して作業スペースを確保するという作業が必要となる。しかし、制御盤は重量物であることから、作業スペースを確保するために制御盤を引き上げたり、保守作業終了時に降ろしたりする作業に著しい労力を要するという問題があった。
【０００３】
そこで、従来、作業者の労力を軽減する制御盤揚重装置として、特許文献１には、一対の乗降口間に架設されたトラスと、トラス内に設けられた機械室と、機械室の開口部を覆う床部材と、機械室に設けられた制御盤とを備える乗客コンベアに設けられる乗客コンベアの制御盤昇降装置であって、機械室に設置され、床部材が取り外された状態で機械室の上方に上端部が配置される支持部材と、機械室の上方の所定の高さ位置で、水平面に平行な軸まわりに回転自在に支持部材に支持される第１滑車と、第１滑車に掛けられて、重り及び制御盤が互いに逆方向に移動されるように取り付けられるロープとを備え、重りが、機械室内の所定の高さ位置に配置されたときに、制御盤の下端が機械室の上方に配置されるものが記載されている。
【先行技術文献】
【特許文献】
【０００４】
【特許文献１】特開２０１２−１８０１７１号公報
【発明の概要】
【発明が解決しようとする課題】
【０００５】
しかしながら、前述した特許文献１に記載される制御盤揚重装置は、滑車、おもり及びロープを備える必要があり、部品員数が多いとともに、重量物である制御盤を片持ち支持する構造であり、これを可能とする程度まで各部位に堅牢性をもたせる必要があり、装置の小型化を図ることが難しいという課題があった。
【０００６】
本発明は、前述した従来技術における実状からなされたもので、その目的は、部品員数の低減を図るとともに、必要な堅牢性を容易に確保することのできる制御盤揚重装置を備えた乗客コンベアを提供することにある。
【課題を解決するための手段】
【０００７】
前記目的を達成するために、本発明は、本体枠に形成される機械室に設置された制御盤を保守作業時に上げ下げする乗客コンベアの制御盤揚重装置において、前記制御盤に沿って前記機械室に立設され、前記制御盤を上下方向に案内するガイドレールと、前記制御盤を持ち上げる方向にばね力を付与するばね体とを備えたことを特徴としている。
【発明の効果】
【０００８】
本発明によれば、制御盤に沿って機械室に立設されるガイドレールにより案内しつつ、ばね体のばね力を利用して制御盤の上げ下げを行うようにすることによって、比較的簡易な構造として部品員数の低減を図ることができるとともに、ガイドレールによりバランスよく制御盤を支持することができることから、必要な堅牢性を容易に確保することができ、したがって、制御盤揚重装置の小型化を図ることができ、かつ低コストの装置とすることができる。
【図面の簡単な説明】
【０００９】
【図１】本発明の制御盤揚重装置を備えた乗客コンベアの概略構成図である。
【図２】制御盤が設置される機械室部分の上面図である。
【図３】本発明の乗客コンベアの制御盤揚重装置の一実施の形態であり、制御盤が下ろされた状態を示す斜視図である。
【図４】本実施の形態において制御盤が上げられた状態を示す斜視図である。
【図５】本実施の形態において制御盤が下ろされた状態を示す断面図である。
【図６】本実施の形態において制御盤が上げられた状態を示す断面図である。
【発明を実施するための形態】
【００１０】
本発明の実施例を、図面を参照しながら説明する。尚、各図において、同一又は類似の構成要素には同じ符号を付し、説明を省略する。
【００１１】
乗客コンベアは、図１に示すように、建屋の乗降口１、２間に架設される本体枠３と、無端状に連結され、乗降口１、２間を循環移動する複数の踏段４と、本体枠３に形成される機械室５に設置される踏段駆動機６と、踏段駆動機６のシーブ６ａに巻回される駆動チェーン７と、駆動チェーン７が巻回される第１スプロケット８ａ及び踏段チェーン１２が巻回される第２スプロケット８ｂを有してなる駆動スプロケット８と、機械室５に設置され、踏段駆動機６等を制御する制御盤９と、踏段４の進行方向に沿って立設される欄干１０と、この欄干１０により支持され、踏段４と同期して移動する移動手摺１１とを備えており、制御盤９から出力される信号に応じて踏段駆動機６の動力が駆動チェーン７、駆動スプロケット８及び踏段チェーン１２を介して踏段４に伝えられ、踏段４は乗降口１、２間を循環移動するようになっている。
【００１２】
そして、本実施の形態では、図２及び図３に示すように、制御盤９を保守作業時に作業員が上げ下げすることをサポートする制御盤揚重装置２０として、制御盤９に沿って機械室５に立設され、制御盤９を上下方向に案内するガイドレール２０ａと、制御盤９を持ち上げる方向にばね力を付与するばね体２０ｂと、制御盤９に取付けられるとともに、ガイドレール２０ａに移動可能に係合するガイド部材２０ｃとを備えている。
【００１３】
ガイドレール２０ａは、例えば略コ字状の外形を有しており、制御盤９の両側方に対となって配置されている。
【００１４】
ばね体２０ｂは、制御盤９の一側、他側のそれぞれにあって、一端がガイドレール２０ａの上端、他端がガイド部材２０ｃに連結されているとともに、２つのばね体２０ｂのばね力の和は制御盤９の自重と同等（ここでいう同等には、厳密に同等なものに限られず、略同等な場合も含むものとする）のものとすることが望ましい。また、ばね体２０ｂのばね力の和が制御盤９の自重と同等の場合に限られず、それよりも小さい場合であっても、制御盤９の上げ下げに要する力を低減する効果は得られる。
【００１５】
ガイド部材２０ｃは、ガイドレール２０ａに沿って制御盤９を案内するとともに、高さ調節の機能をも有しており、制御盤９を最高位置まで引き上げた際に、制御盤９の下端が乗客の乗り降りする乗客コンベアの乗降床と同一のレベル、又は乗降床より高いレベルとなるように設定されている。
【００１６】
本実施の形態にあっては、機械室５の保守点検を行う場合、乗降口１の図示しない床板（乗降床に設けられた機械室出入り口の蓋となる床板）を取外し、機械室５上部を開口する。このとき、制御盤９は、図３及び図５に示すように、下方に位置している。この状態から制御盤９を上方に移動するには、制御盤９を引き上げる方向に若干の力を作業員が負荷すればよい。これは、ばね体２０ｂのばね力が制御盤９の自重と同等のものとなるように設定されているからであり、作業者は小さな力で、図４及び図６に示すように、制御盤９を引き上げることができる。このとき、図４及び図６に示すように、制御盤９はガイド部材２０ｃを介してガイドレール２０ａに沿って円滑に上昇する。この状態で作業員は機械室５内や制御盤９の保守作業を行う。
【００１７】
この後、機械室５内や制御盤９の保守作業が終了し、制御盤９を下方に移動する際には、制御盤９を降ろす方向に若干の力を作業員が負荷する。これに応じて制御盤９は下降し、制御盤９を小さな力で、図３及び図５に示す位置に収納することができる。
【００１８】
本実施の形態によれば、制御盤９に沿って機械室５に立設されるガイドレール２０ａにより案内しつつ、ばね体２０ｂのばね力を利用して制御盤９の上げ下げを行うようにすることによって、比較的簡易な構造として部品員数の低減を図ることができるとともに、ガイドレール２０ａによりバランスよく制御盤９をその両側方で支持することができることから、必要な堅牢性を容易に確保することができ、したがって、制御盤揚重装置２０の小型化を図ることができ、かつ低コストの装置とすることができる。
【００１９】
また、制御盤９に取付けられるとともに、ガイドレール２０ａに移動可能に係合するガイド部材２０ｃを設けたことより、制御盤９をガイドレール２０ａに安定支持し、円滑に制御盤９の上げ下げを行うことができる。また、ガイド部材２０ｃにより、制御盤９を最高位置まで引き上げた際に、制御盤９の下端が乗降床と同一のレベル、又は乗降床より高いレベルとなるように高さを調整可能になっていることから、作業性を向上することができる。
【００２０】
さらに、ばね体２０ｂは、制御盤９の自重と同等のばね力を有することにより、作業員は、制御盤９を上げ下げする際、所望の方向に若干の力を負荷するだけでよく、労力の低減を図ることができる。
【００２１】
なお、前述した実施の形態は本発明を分かりやすく説明するために詳細に説明したものであり、必ずしも説明した全ての構成を備えるものに限定されるものではない。また、各実施の形態の構成の一部について、他の構成の追加・削除・置き換えをすることが可能である。
【００２２】
例えば、制御盤９を所望の高さ位置で固定するロック機構を設けたり、制御盤９を上げ下げする際に急激な移動を阻止するための減衰装置を設けたりすることもできる。
【符号の説明】
【００２３】
３  本体枠
５  機械室
９  制御盤
２０  制御盤揚重装置
２０ａ  ガイドレール
２０ｂ  ばね体
２０ｃ  ガイド部材
【図１】
2016016918.tif 000003
【図２】
2016016918.tif 000004
【図３】
2016016918.tif 000005
【図４】
2016016918.tif 000006
【図５】
2016016918.tif 000007
【図６】
2016016918.tif 000008